(57)【要約】【課題】第１および第２波長の両方の処理光を用いて、種類の異なる記録媒体に対して高精度に情報の記録および再生ができる２波長光ピックアップ装置を提供する。【解決手段】複合回折格子３２は、第１表面部３２ａに第１回折格子４０が形成され、第２表面部３２ｂに第２回折格子４１が形成される。光検出器３９は、第１処理光を受光する第１検出部４５と第２処理光を受光する第２検出部４９とを設けることによって、第１および第２処理光の受光位置が異なっている場合にも、記録媒体３７で反射した処理光を検出部に導くことができる。検出回折格子６４は、記録媒体３７で反射した第１および第２処理光ｃ１，ｃ２のいずれか一方を回折させ、第１および第２処理光ｃ１，ｃ２を光検出器３９の略同一の位置に導く。【選択図】　　　図８
2004127423.tif 000002
【特許請求の範囲】
【請求項１】
記録媒体に処理光を照射することによって、記録媒体に情報を記録する記録処理および記録媒体に記録される情報を再生する再生処理の少なくともいずれか一方をする光ピックアップ装置であって、
第１波長の第１処理光を出射する第１出射部および第１波長と異なる第２波長の第２処理光を出射する第２出射部を有する光源と、
光源から出射される第１および第２処理光を記録媒体に導く出射光学系と、
光検出器と、
記録媒体で反射した第１および第２処理光を光検出器に導く検出光学系と、
光源と記録媒体との間に介在され、第１処理光を回折させて、記録媒体上に、第１処理光が集光する第１主集光位置および第１副集光位置を形成するための第１回折格子と、
光源と記録媒体との間に介在され、第２処理光を回折させて、記録媒体上に、第２処理光が集光する第２主集光位置および第２副集光位置を形成するための第２回折格子とを含むことを特徴とする光ピックアップ装置。
【請求項２】
光源と記録媒体との間には、第１表面部に前記第１回折格子が形成され、第２表面部に前記第２回折格子が形成される複合回折素子が設けられることを特徴とする請求項１記載の光ピックアップ装置。
【請求項３】
複合回折素子は、１／４波長板を有することを特徴とする請求項２記載の光ピックアップ装置。
【請求項４】
第１回折格子の開口が延びる第１方向と、第２回折格子の開口が延びる第２方向とは、相互に異なることを特徴とする請求項１〜３のいずれかに記載の光ピックアップ装置。
【請求項５】
第１回折格子による第１処理光の回折角度および第２回折格子による第２処理光の回折角度は、第１主集光位置および第１副集光位置で反射した各第１処理光の光検出器における受光位置間の間隔と、第２主集光位置および第２副集光位置で反射した各第２処理光の光検出器における受光位置間の間隔とが同一になるように決定されることを特徴とする請求項４記載の光ピックアップ装置。
【請求項６】
第１および第２回折格子は、光源と記録媒体との間の光の経路に沿う方向に、変位自在に設けられることを特徴とする請求項１〜５のいずれかに記載の光ピックアップ装置。
【請求項７】
光検出器は、
記録媒体で反射した第１処理光の反射光を検出する第１検出部と、
記録媒体で反射した第２処理光の反射光を検出する第２検出部とを有することを特徴とする請求項１〜６のいずれかに記載の光ピックアップ装置。
【請求項８】
第１検出部は、第１主集光位置で反射した第１処理光を検出する第１主検出領域と、第１副集光位置で反射した第１処理光を検出する第１副検出領域とを有し、
第２検出部は、第２主集光位置で反射した第２処理光を検出する第２主検出領域と、第２副集光位置で反射した第２処理光を検出する第２副検出領域とを有し、
第１副検出領域および第２副検出領域は、共通の領域であることを特徴とする請求項７記載の光ピックアップ装置。
【請求項９】
検出光学系は、
記録媒体で反射した第１および第２処理光の少なくともいずれか一方を回折させる検出回折格子を有し、第１および第２処理光を、光検出器の同一位置に導くことを特徴とする請求項１〜６のいずれかに記載の光ピックアップ装置。
【請求項１０】
記録媒体に処理光を照射することによって、記録媒体に情報を記録する記録処理および記録媒体に記録される情報を再生する再生処理の少なくともいずれか一方をする光ピックアップ装置であって、
第１波長λ１の第１処理光を出射する第１出射部および第１波長λ１と異なる第２波長λ２の第２処理光を出射する第２出射部を有する光源と、
光源から出射される第１および第２処理光を記録媒体に導く出射光学系と、
記録媒体で反射した第１処理光の反射光を検出する第１検出部、および記録媒体で反射した第２処理光の反射光を検出する第２検出部を有する光検出器と含むことを特徴とする光ピックアップ装置。
【請求項１１】
光源と記録媒体との間に介在され、第１処理光を回折させて、記録媒体上に、第１処理光が集光する第１主集光位置および第１副集光位置を形成するための第１回折格子と、
光源と記録媒体との間に介在され、第２処理光を回折させて、記録媒体上に、第２処理光が集光する第２主集光位置および第２副集光位置を形成するための第２回折格子とをさらに含み、
第１検出部は、第１主集光位置で反射した第１処理光を検出する第１主検出領域と、第１副集光位置で反射した第１処理光を検出する第１副検出領域とを有し、
第２検出部は、第２主集光位置で反射した第２処理光を検出する第２主検出領域と、第２副集光位置で反射した第２処理光を検出する第２副検出領域とを有し、
第１副検出領域および第２副検出領域は、共通の領域であることを特徴とする請求項１０記載の光ピックアップ装置。
【請求項１２】
記録媒体に処理光を照射することによって、記録媒体に情報を記録する記録処理および記録媒体に記録される情報を再生する再生処理の少なくともいずれか一方をする光ピックアップ装置であって、
第１波長λ１の第１処理光を出射する第１出射部および第１波長λ１と異なる第２波長λ２の第２処理光を出射する第２出射部を有する光源と、
光源から出射される第１および第２処理光を記録媒体に導く出射光学系と、
光検出器と、
記録媒体で反射した第１および第２処理光の少なくともいずれか一方を回折させる検出回折格子を有し、第１および第２処理光を、光検出器の同一位置に導く検出光学系とを含むことを特徴とする光ピックアップ装置。
【請求項１３】
光検出器は、記録媒体と光検出器との間の光の経路に沿う方向に、変位自在に設けられることを特徴とする請求項１〜１２のいずれかに記載の光ピックアップ装置。
【発明の詳細な説明】
【０００１】
【発明の属する技術分野】
本発明は、波長依存性を有する記録媒体に対し、記録媒体に対応した波長の光を用いて、情報を記録または再生する光ピックアップ装置に関する。
【０００２】
【従来の技術】
記録媒体の記録容量の大容量化が進むのに伴い、光ピックアップに用いる光の短波長化が進められている。記録媒体に集光される光の集光径の大きさは、光の波長に比例し、記録媒体の記録容量は、光の波長の２乗に反比例する。また記録媒体は、光の反射率および記録するために必要な光の強度などに強い波長依存性を有しており、記録媒体に応じた波長の光を用いなければ記録媒体に対して記録および再生することができない。したがって通常の記録容量の記録媒体と大容量化された記録媒体とに併用できるようにするために、通常の記録媒体のたとえば波長７８０ｎｍの光とその波長よりも短い大容量記録媒体用のたとえば波長６５０ｎｍの光とを用いて、２種類の記録媒体に対して情報の記録および再生ができる光ピックアップ装置が用いられている。
【０００３】
図９は、従来の技術の光ピックアップ装置１の光学的構成を概略的に示す正面図である。光ピックアップ装置１は、異なる波長の処理光を出射する第１および第２の光源部２，３を備える。第１光源２は、たとえば６５０ｎｍである第１波長の処理光を出射し、第２光源３は、たとえば７８０ｎｍである第２波長の処理光を出射する。第１光源２から出射された処理光は、回折格子４、コリメートレンズ６、ビームスプリッタ８、立上げミラー１０および対物レンズ１１を経て記録媒体１２に集光される。また第２光源３から出射された処理光は、回折格子５、コリメートレンズ７、ビームスプリッタ９、ビームスプリッタ８、立上げミラー１０および対物レンズ１１を経て記録媒体１２に集光される。記録媒体１２によって反射された処理光は、対物レンズ１１、立上げミラー１０、各ビームスプリッタ８，９、集光レンズ１３およびシリンドリカルレンズ１４を経て光検出器１５によって受光される。このようにして記録媒体１２に対して情報が記録および再生される。
【０００４】
この光ピックアップ装置１では、第１および第２光源部２，３から出射された処理光１８，１９は、記録媒体１２によって反射された後、光検出器１５に至る経路において光軸が一致し、光検出器１５による検出が容易になるけれども、第１および第２光源部２，３に対して回折格子４，５、コリメートレンズ６，７およびビームスプリッタ８，９を個別にそれぞれ設ける構成であり、収納スペース増加による装置の大型化と、装置の部品数増加によるコスト高とを招くという問題がある。
【０００５】
図１０は、他の従来の技術の光ピックアップ装置２０の光学的構成を概略的に示す正面図である。光源部２１は、波長の異なる処理光をそれぞれ出射する第１および第２出射部１６，１７を有する。たとえば第１出射部１６が出射する処理光の波長λ１（第１波長）は６５０ｎｍであり、第２出射部１７が出射する処理光の波長（第２波長）は７８０ｎｍである。
【０００６】
光源部２１の第１出射部１６から出射される波長λ１の処理光は、回折格子２２、ビームスプリッタ２３、コリメートレンズ２４、立上げミラー２５および対物レンズ２６を経て記録媒体２７に集光される。記録媒体２７によって反射された波長λ１の処理光は、対物レンズ２６、立上げミラー２５、コリメートレンズ２４、ビームスプリッタ２３およびスポットレンズ２８を経て光検出器２９に集光される。このようにして記録媒体に対して情報が記録および再生される。
【０００７】
光源部２１の第２出射部から出射される波長λ２の処理光は、回折格子２２、ビームスプリッタ２３を経てコリメートレンズ２４の軸線に対して傾斜した状態で透過し、立上げミラー２５を経て対物レンズ２６の軸線に対して傾斜した状態で透過して、記録媒体２７に集光される。記録媒体２７によって反射された波長λ２の処理光は、対物レンズ２６、立上げミラー２５、コリメートレンズ２４、ビームスプリッタ２３およびスポットレンズ２８を経て光検出器２９に集光される。この場合、記録媒体２７によって反射され、立上げミラー２５を経てコリメートレンズ２４に入射される波長λ２の処理光は、コリメートレンズ２４の軸線に対して傾斜しているので、コリメートレンズ２４から出射されて、ビームスプリッタ２３およびスポットレンズ２８を経て光検出器２９に集光される波長λ２の処理光の受光位置と波長λ１の処理光の受光位置とは、一致しない。したがって光検出器２９を一方の波長λ１の処理光に基づいて調整すると、他方の波長λ２の処理光に対しては光検出器２９の受光位置に集光できない（たとえば、特許文献１参照）。
【０００８】
このような光ピックアップ装置２０は、図９の光ピックアップ装置１の課題を解決することができる。
【０００９】
【特許文献１】
特開平１１−２９６８９３号公報
【００１０】
【発明が解決しようとする課題】
２つの出射部１６，１７を有する光源部２１を備える光ピックアップ装置２０では、光源部２１から出射された処理光を回折格子によって部分的に回折させ、記録媒体２７に３カ所で集光させ、トラッキングできるように構成されるから第１波長の処理光を用いる記録媒体と第２波長の処理光を用いる記録媒体とではトラックピッチが異なるとともに波長によって回折格子における回折角度が異なるので、記録媒体に応じて回折格子の角度および処理光の回折角度を変える必要がある。しかしながら、光ピックアップ装置２０では、第１波長の処理光と第２波長の処理光とが略同一の経路を通るので、第１波長の処理光と第２波長の処理光とに対して、回折格子の角度や処理光の回折角度を個別に設定することができない。また光ピックアップ装置２０では、第１波長の処理光の光源の光軸をコリメートレンズ２４の軸線に一致させた場合、第２波長の処理光の光軸はコリメートレンズ２４の軸線に対して傾斜し、対物レンズ２６の軸線に対して傾斜する。さらに記録媒体２７によって反射された第１波長の処理光は、その光軸がコリメートレンズの軸線に一致しているけれども第２波長の処理光は、その光軸がコリメートレンズ２４の軸線に対して傾斜するので、光検出器２９における第１波長の処理光と第２波長との受光位置は、一致しない。したがって光検出器２９を第１波長の処理光に基づいて位置調整すると、第２波長の処理光に対して位置がずれて受光位置に集光できなくなる。
【００１１】
このように、光ピックアップ装置２０では、各波長の処理光に対して個別に回折格子２２の調整ができず、また各波長の処理光の光軸が、コリメートレンズ２４および対物レンズ２６などの軸線に対して傾斜し、光検出器２９における受光位置がずれるので、高精度の情報の記録および再生ができなかった。
【００１２】
したがって本発明の目的は、第１および第２波長の両方の処理光を用いて、種類の異なる記録媒体に対して高精度に情報の記録および再生ができる２波長光ピックアップ装置を提供することである。
【００１３】
【課題を解決するための手段】
本発明は、記録媒体に処理光を照射することによって、記録媒体に情報を記録する記録処理および記録媒体に記録される情報を再生する再生処理の少なくともいずれか一方をする光ピックアップ装置であって、
第１波長の第１処理光を出射する第１出射部および第１波長と異なる第２波長の第２処理光を出射する第２出射部を有する光源と、
光源から出射される第１および第２処理光を記録媒体に導く出射光学系と、
光検出器と、
記録媒体で反射した第１および第２処理光を光検出器に導く検出光学系と、
光源と記録媒体との間に介在され、第１処理光を回折させて、記録媒体上に、第１処理光が集光する第１主集光位置および第１副集光位置を形成するための第１回折格子と、
光源と記録媒体との間に介在され、第２処理光を回折させて、記録媒体上に、第２処理光が集光する第２主集光位置および第２副集光位置を形成するための第２回折格子とを含むことを特徴とする光ピックアップ装置である。
【００１４】
本発明に従えば、光源から、第１波長の第１処理光および第２波長の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【００１５】
このように記録媒体に対して、情報の記録および再生のいずれかをする場合、記録媒体に対して、第１および第２処理光を所定の位置に照射しなければ成らない。このように位置決めをするために、光源と記録媒体との間に、第１および第２回折格子が設けられ、第１処理光は、第１回折格子によって一部が回折されて、記録媒体上において、第１主集光位置および第１副集光位置に集光され、第２処理光は、第２回折格子によって一部が回折されて、記録媒体上において、第２主集光位置および第２副集光位置に集光される。
【００１６】
このようにして、第１副集光位置で反射する第１処理光を検出光学系によって光検出器に導き、この光検出器で検出された第１処理光に基づいて、第１主集光位置が前記所定の位置と一致するように位置決めするとともに、第２副集光位置で反射する第２処理光を検出光学系によって光検出器に導き、この光検出器で検出された第２処理光に基づいて、第２主集光位置が前記所定の位置と一致するように位置決めする。この位置決めによって、記録媒体に対して、情報の記録および再生を好適に実現することができる。しかも第１処理光用の第１回折格子と、第２処理光用の第２回折格子とを設けることによって、第１および第２処理光のいずれを用いる場合にも、前述のような位置決めを高精度に実現でき、高精度な情報の記録および再生を実現することができる。
【００１７】
また本発明は、光源と記録媒体との間には、第１表面部に前記第１回折格子が形成され、第２表面部に前記第２回折格子が形成される複合回折素子が設けられることを特徴とする。
【００１８】
本発明に従えば、光源と記録媒体との間に複合回折格子が設けられ、この複合回折格子には、第１表面部に第１回折格子が形成され、第２表面部に第２回折格子が形成される。このように第１および第２回折格子を１つの部材に形成できるので、第１および第２回折格子を異なる部材に個別に形成する場合に比べて部品点数を少なくすることができるので、光ピックアップ装置を小形にできる。
【００１９】
また本発明は、複合回折素子は、１／４波長板を有することを特徴とする。
本発明に従えば、複合回折格子には、１／４波長板が設けられ、複屈折の影響を低減することができる。このように複屈折の影響を低減するための１／４波長板は、別に取付ける必要がない。したがって部品点数を削減できるので、コストを削減できるとともに光ピックアップ装置を小形にできる。
【００２０】
また本発明は、第１回折格子の開口が延びる第１方向と、第２回折格子の開口が延びる第２方向とは、相互に異なることを特徴とする。
【００２１】
本発明に従えば、第１および第２回折格子は、開口の延びる方向が異なり、第１回折格子によって第１処理光が回折される方向と、第２回折格子によって第２処理光が回折される方向とが異なる。これによって第１処理光が記録媒体において集光する第１主集光位置および第１副集光位置の位置関係と、第２主集光位置および第２副集光位置の位置関係とが異なる。第１処理光を用いる記録媒体と、第２処理光を用いる記録媒体とでは、これら各記録媒体に適した主集光位置と副集光位置との位置関係が異なり、前述のように第１および第２処理光の回折方向を相互に異ならせて、各記録媒体に適した集光位置に、第１および第２処理光を集光させることができる。したがって第１および第２処理光を用いる各記録媒体において、高精度に情報の記録および再生をすることができる。
【００２２】
また本発明は、第１回折格子による第１処理光の回折角度および第２回折格子による第２処理光の回折角度は、第１主集光位置および第１副集光位置で反射した各第１処理光の光検出器における受光位置間の間隔と、第２主集光位置および第２副集光位置で反射した各第２処理光の光検出器における受光位置間の間隔とが同一になるように決定されることを特徴とする。
【００２３】
本発明に従えば、第１および第２回折格子の回折角度を変えることよって、出射光学系および検出光学系を通る第１および第２処理光の経路が変わる。第１および第２処理光の経路が変わることによって、記録媒体上の主集光位置光で反射した処理光と副集光位置で反射した処理光との検出器における受光位置の間隔が変わる。第１主集光位置および第１副集光位置の反射位置で反射した各第１処理光の光検出器における受光位置間の間隔と第２主集光位置および第２副集光位置の反射位置で反射した各第２処理光の光検出器における受光位置間の間隔とが同一になるように、第１回折格子による第１処理光の回折角度および第２回折格子による第２処理光の回折角度を決定する。これによって、第１副集光位置で反射した第１処理光を受光する光検出器における検出領域と、第２副集光位置で反射した第２処理光を受光する光検出器における検出領域とを、整列させることができる。このように整列できれば検出領域の共通化を容易にし、検出領域の共通化を図ることによって、光検出器の形状を始めとする構成を簡単にすることができる。
【００２４】
また本発明は、第１および第２回折格子は、光源と記録媒体との間の光の経路に沿う方向に、変位自在に設けられることを特徴とする。
【００２５】
本発明に従えば、第１および第２回折格子を、変位させることによって、第１および第２回折格子によって回折された第１および第２処理光の経路を変えることができる。これによって記録媒体における第１および第２副集光位置を、変えることができる。またこれに伴って記録媒体の第１副集光位置で反射した第１処理光が光検出器で受光する位置を変えることができるとともに、第２副集光位置で反射した第２処理光が光検出器で受光する位置を変えることができる。したがって第１および第２回折格子の作製公差を補正するとともに処理光が記録媒体上に集光する副集光位置の間隔ずれにつながる公差と処理光が記録媒体上の副集光位置で反射され、光検出器に導かれたときの受光位置の間隔ずれにつながる公差を補正することができる。
【００２６】
また本発明は、光検出器は、
記録媒体で反射した第１処理光の反射光を検出する第１検出部と、
記録媒体で反射した第２処理光の反射光を検出する第２検出部とを有することを特徴とする。
【００２７】
本発明に従えば、光検出器は、第１検出部を第１処理光の受光位置に設けることによって、第１処理光を検出し、第２検出部を第２処理光の受光位置に設けることによって、第２処理光を検出する。このようにして光検出器は、第１処理光を受光する第１検出部と第２処理光を受光する第２検出部とを個別に設けることによって、記録媒体で反射した第１処理光および第２処理光を高精度に検出することができる。
【００２８】
また本発明は、第１検出部は、第１主集光位置で反射した第１処理光を検出する第１主検出領域と、第１副集光位置で反射した第１処理光を検出する第１副検出領域とを有し、
第２検出部は、第２主集光位置で反射した第２処理光を検出する第２主検出領域と、第２副集光位置で反射した第２処理光を検出する第２副検出領域とを有し、
第１副検出領域および第２副検出領域は、共通の領域であることを特徴とする。
【００２９】
本発明に従えば、第１検出部は、記録媒体上の第１主集光位置で反射した第１処理光を検出する第１主検出領域と第１副集光位置で反射した第１処理光を検出する第１副検出領域とを有している。第２検出部は、記録媒体上の第２主集光位置で反射した第２処理光を検出する第２主検出領域と第２副集光位置で反射した第２処理光を検出する第２副検出領域とを有している。第１副集光位置と第２副集光位置とは、共通の領域である。これによって独立した検出領域の数が減り、配線を簡略化できるので、コストを削減することができる。
【００３０】
また本発明は、検出光学系は、
記録媒体で反射した第１および第２処理光の少なくともいずれか一方を回折させる検出回折格子を有し、第１および第２処理光を、光検出器の同一位置に導くことを特徴とする。
【００３１】
本発明に従えば、検出光学系は、検出回折格子を有する。検出回折格子は、記録媒体で反射した第１および第２処理光のいずれか一方を回折させ、回折させた処理光の経路を変えることによって、第１および第２処理光を光検出器の略同一の位置に導く。これによって第１および第２処理光の光検出器における検出領域を共通にすることができる。したがって、光検出器の部品点数を削減できるので、光検出器を小形にできるとともにコストの削減を図ることができる。
【００３２】
また本発明は、記録媒体に処理光を照射することによって、記録媒体に情報を記録する記録処理および記録媒体に記録される情報を再生する再生処理の少なくともいずれか一方をする光ピックアップ装置であって、
第１波長λ１の第１処理光を出射する第１出射部および第１波長λ１と異なる第２波長λ２の第２処理光を出射する第２出射部を有する光源と、
光源から出射される第１および第２処理光を記録媒体に導く出射光学系と、
記録媒体で反射した第１処理光の反射光を検出する第１検出部、および記録媒体で反射した第２処理光の反射光を検出する第２検出部を有する光検出器と含むことを特徴とする光ピックアップ装置である。
【００３３】
本発明に従えば、光源から、第１波長の第１処理光および第２波長λ２の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【００３４】
記録媒体で反射した第１処理光は、光検出器の第１検出部に導かれる。記録媒体で反射した第２処理光は、光検出器の第２検出部に導かれる。光検出器は、第１検出部を第１処理光の受光位置に設けることによって、第１処理光を検出し、第２検出部を第２処理光の受光位置に設けることによって、第２処理光を検出する。このようにして光検出器は、第１処理光を受光する第１検出部と第２処理光を受光する第２検出部とを個別に設けることによって、記録媒体で反射した第１処理光および第２処理光を高精度に検出することができる。
【００３５】
また本発明は、光源と記録媒体との間に介在され、第１処理光を回折させて、記録媒体上に、第１処理光が集光する第１主集光位置および第１副集光位置を形成するための第１回折格子と、
光源と記録媒体との間に介在され、第２処理光を回折させて、記録媒体上に、第２処理光が集光する第２主集光位置および第２副集光位置を形成するための第２回折格子とをさらに含み、
第１検出部は、第１主集光位置で反射した第１処理光を検出する第１主検出領域と、第１副集光位置で反射した第１処理光を検出する第１副検出領域とを有し、
第２検出部は、第２主集光位置で反射した第２処理光を検出する第２主検出領域と、第２副集光位置で反射した第２処理光を検出する第２副検出領域とを有し、
第１副検出領域および第２副検出領域は、共通の領域であることを特徴とする。
【００３６】
本発明に従えば、記録媒体に対して、情報の記録および再生のいずれかをする場合、記録媒体に対して、第１および第２処理光を所定の位置に照射しなければ成らない。このように位置決めをするために、光源と記録媒体との間に、第１および第２回折格子が設けられ、第１処理光は、第１回折格子によって一部が回折されて、記録媒体上において、第１主集光位置および第１副集光位置に集光され、第２処理光は、第２回折格子によって一部が回折されて、記録媒体上において、第２主集光位置および第２副集光位置に集光される。
【００３７】
記録媒体上の第１主集光位置および第１副集光位置で反射された第１処理光を検出光学系によって第１検出部に導く。記録媒体上の第１主集光位置で反射した第１処理光は、第１主検出領域において検出され、第１副集光位置で反射した第１処理光は、第１副検出領域において検出される。この光検出器で検出された第１処理光に基づいて、第１主集光位置が前記所定の位置と一致するように位置決めするとともに、記録媒体上の第２主集光位置および第２副集光位置で反射された第２処理光を検出光学系によって第２光検出部に導く。記録媒体上の第２主集光位置で反射した第２処理光は、第２主検出領域において検出され、第２副集光位置で反射した第２処理光は、第２副検出領域において検出される。この光検出器で検出された第２処理光に基づいて、第２主集光位置が前記所定の位置と一致するように位置決めする。この位置決めによって、記録媒体に対して、情報の記録および再生を好適に実現することができる。しかも第１処理光用の第１回折格子と、第２処理光用の第２回折格子とを設けることによって、第１および第２処理光のいずれを用いる場合にも、前述のような位置決めを高精度に実現でき、高精度な情報の記録および再生を実現することができる。また、検出部において第１副検出領域と第２副検出領域とを共通の領域にすることによって独立した検出領域の数が減り、配線を簡略化できるので、コストを削減できる。
【００３８】
また本発明は、記録媒体に処理光を照射することによって、記録媒体に情報を記録する記録処理および記録媒体に記録される情報を再生する再生処理の少なくともいずれか一方をする光ピックアップ装置であって、
第１波長λ１の第１処理光を出射する第１出射部および第１波長λ１と異なる第２波長λ２の第２処理光を出射する第２出射部を有する光源と、
光源から出射される第１および第２処理光を記録媒体に導く出射光学系と、
光検出器と、
記録媒体で反射した第１および第２処理光の少なくともいずれか一方を回折させる検出回折格子を有し、第１および第２処理光を、光検出器の同一位置に導く検出光学系とを含むことを特徴とする光ピックアップ装置である。
【００３９】
本発明に従えば、光源から、第１波長の第１処理光および第２波長の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【００４０】
このように光源から出射される第１および第２処理光は、出射光学系によって記録媒体に導かれる。記録媒体によって反射した第１および第２処理光は、検出光学系によって光検出器に導かれる。検出光学系は、検出回折格子を有する。検出回折格子は、記録媒体で反射した第１および第２処理光のいずれか一方を回折させ、回折させた処理光の経路を変えることによって、第１および第２処理光を光検出器の略同一の位置に導く。これによって第１および第２処理光の光検出器における検出領域を共通にすることができる。したがって、光検出器の部品点数を削減できるので、光検出器を小形にできるとともにコストの削減を図ることができる。
【００４１】
また本発明は、光検出器は、記録媒体と光検出器との間の光の経路に沿う方向に、変位自在に設けられることを特徴とする。
【００４２】
本発明に従えば、光検出器は、記録媒体と光検出器との間の光の経路に沿う方向に変位することによって、光検出器に導かれる第１処理光と第２処理光との受光位置の間隔を変えることができる。したがって光源から出射される第１出射部と第２出射部との出射位置の違いによって生じる光検出器における受光位置のずれを修正できるので、光検出器を変化させることによって、光検出器における第１処理光の受光位置と第２処理光の受光位置との間隔を変化させ、第１検出部と第２検出部との配置位置間隔に合わせることができ、前記公差を補正することができる。したがって高精度な情報の記録および再生をすることができる。
【００４３】
【発明の実施の形態】
図１は、本発明の実施の一形態の光ピックアップ装置３０の光学的構成を概略的に示す正面図である。光ピックアップ装置３０は、光源３１と、記録媒体３７と、複合回折格子３２と、光源３１から出射される処理光を記録媒体３７に導く出射光学系４２と、光検出器３９と、記録媒体３７で反射した処理光を光検出器３９に導く検出光学系４３とで構成される。光源３１は、波長の異なる２種類の処理光を出射する第１および第２出射部６５，６６を備える。第１および第２出射部６５，６６から出射された処理光は、出射光学系４２を経て記録媒体３７に導かれる。記録媒体３７で反射した処理光は、検出光学系４３を経て光検出器３９に導かれ、情報の読取りが行われる。第１および第２出射部６５，６６は、たとえばレーザチップなどが用いられる。光源３１から出射される２種類の波長の処理光は、たとえば第１出射部６５から出射される第１処理光ｃ１の波長λ１が６５０ｎｍであり、第２出射部６６から出射される第２処理光ｃ２の波長λ２が７８０ｎｍである。
【００４４】
記録媒体３７には、コンパクトディスクおよびデジタルバーサタイルディスクなどがある。たとえばコンパクトディスクの場合は、直径が８ｃｍまたは１２ｃｍの薄い円盤の形状を有し、ポリカーボネート樹脂製の基板の厚み方向一方に信号に相当するピットと呼ばれる凹凸を有し、凹凸を覆うように処理光を反射するためのアルミニウム層が形成され、アルミニウム層を覆うように硬い樹脂の保護層が形成される。他方より処理光を照射して、情報の記録および再生が行われる。
【００４５】
複合回折格子３２は、光源３１と記録媒体３７との間に介在され、第１表面部３２ａに第１波長λ１用の第１回折格子４０を形成し、第１処理光ｃ１を回折させて記録媒体３７において第１主集光位置および第１副集光位置に第１処理光ｃ１を集光させ、第２表面部３２ｂに第２波長λ２用の第２回折格子４１を形成し、第２処理光ｃ２を回折させて記録媒体３７において第２主集光位置および第２副集光位置に第２処理光ｃ２を集光させる。
【００４６】
出射光学系４２は、ビームスプリッタ３３と、コリメートレンズ３４と、立上げミラー３５と、対物レンズ３６とによって構成される。ビームスプリッタ３３は、光源３１から出射した第１および第２処理光ｃ１，ｃ２（以下、不特定の少なくともいずれか一方を示す場合、「処理光ｃ」という場合がある）を屈曲させ、記録媒体３７によって反射された第１および第２処理光ｃ１，ｃ２を透過する。コリメートレンズ３４は、光源３１から出射した処理光ｃを略平行光にし、記録媒体３７によって反射された処理光ｃを収束光にする。立上げミラー３５は、入射光を９０度屈曲させて出射する。対物レンズ３６は、光源３１から出射した処理光ｃを記録媒体３７に集光させ、記録媒体３７によって反射された処理光ｃを略平行光にする。
【００４７】
検出光学系４３は、対物レンズ３６と、立上げミラー３５と、コリメートレンズ３４と、ビームスプリッタ３３とスポットレンズ３８とによって構成される。出射光学系４２において説明した対物レンズ３６と、立上げミラー３５と、コリメートレンズ３４と、ビームスプリッタ３３とは、説明を省略する。スポットレンズ３８は、ビームスプリッタ３３によって生成されたこま収差を打消す向きに傾けて配置される。光検出器３９は、記録媒体３７によって反射された処理光ｃを受光し記録媒体３７に記録されている情報および位置合せに用いる信号などを検出する。
【００４８】
光源３１から出射した第１および第２処理光ｃ１，ｃ２は、複合回折格子３２を通り、記録媒体３７に照射する処理光ｃの位置合せに用いる３ビームを生成する。複合回折格子３２を透過した処理光ｃは、ビームスプリッタ３３によって屈曲される。ビームスプリッタ３３によって屈曲された処理光ｃは、コリメートレンズ３４によって略平行光にされ、立上げミラー３５によって屈曲された後に、対物レンズ３６により記録媒体３７に集光される。集光された処理光ｃによって、記録媒体３７に対する情報の再生および記録が行われる。使用される処理光ｃの波長は、記録媒体３７の種類によって適宜選択される。
【００４９】
記録媒体３７によって反射された処理光ｃは、対物レンズ３６によって再び略平行光にされ、立上げミラー３５によって屈曲される。立上げミラー３５によって屈曲された処理光ｃは、コリメートレンズ３４によって再び収束光にされた後、ビームスプリッタ３３を透過し、この際非点収差が与えられる。次に、処理光ｃは光検出器３９に集光させるためのスポットレンズ３８を透過する。スポットレンズ３８は、ビームスプリッタ３３によって生成されたコマ収差を打消す向きに傾けて配置している。そして、最後に光検出器３９に集光される。
【００５０】
このようにして、光源３１から、第１波長λ１の第１処理光ｃ１および第２波長λ２の第２処理光ｃ２のいずれかを出射することができる。記録媒体３７に応じて、光源３１から第１および第２処理光ｃ１，ｃ２のいずれかを出射し、出射光学系４２によって記録媒体３７に導くことによって、記録媒体３７に対して情報の記録および記録される情報の再生うち少なくといずれか一方をすることができる。
【００５１】
図２は、複合回折格子３２を示す図である。図２（ａ）は、複合回折格子３２の平面図であり、図２（ｂ）は、複合回折格子３２の正面図であり、図２（ｃ）は、複合回折格子３２の底面図である。図３は、記録媒体３７の一部分を拡大して示す平面図である。複合回折格子３２は、透光性を有する材料である基板１２０によって形成され、光源３１から遠い側に配置される基板１２０の厚み方向一方の第１表面部３２ａに第１処理光ｃ１用の第１回折格子４０が形成され、光源３１に近い側に配置される基板１２０の厚み方向他方の第２表面部３２ｂに第２処理光ｃ２用の第２回折格子４１が形成される。
【００５２】
第１回折格子４０は、第１開口溝が形成されて、この第１開口溝の深さなどを適宜設定して、第１波長λ１の第１処理光ｃ１の一部を回折させ、第１処理光ｃ１に関して、回折しない零次光と、一次回折する±２つの一次光との、計３ビームを生成し、第２波長λ２の第２処理光ｃ２に関して、回折しない零次光だけを生成するように形成される。第２回折格子４１は、第２開口溝が形成されて、この第２開口溝の深さなどを適宜設定して、第１波長λ１の第１処理光ｃ１に関して、回折しない零次光だけを生成し、第２波長λ２の第２処理光ｃ２の一部を回折させ、第２処理光ｃ２に関して、回折しない零次光と、一次回折する±２つの一次光の、計３ビームを生成するように形成される。
【００５３】
記録媒体３７は、前述のように、第１処理光ｃ１用と、第２処理光ｃ２用とで、後述のトラック６７のピッチ、すなわち半径方向間隔などが異なるが、基本原理は同一であるので、第１処理光ｃ１および第２処理光ｃ２の両方に関して、同一の図面を用いて説明する。記録媒体３７は、円板状であって、ピットと呼ばれる凹所が渦巻き状に断続的に並ぶトラック６７が形成されている。したがってトラック６７は、周回毎に、ピットが形成されない全反射部６８によって隔てられて、半径方向に間隔をあけて形成されている。トラック６７におけるピットとピット以外の部分とでは、光の反射形態が異なるように形成されており、このピットによって情報を記録している。処理光ｃをトラック６７に沿って照射することによって、情報を記録し、また情報を再生することができる。
【００５４】
光ピックアップ装置３０は、処理光ｃをトラック６７に沿って照射するために、３ビーム法を用いて、記録媒体３７に対する処理光ｃの照射位置の位置決めをしている。主集光位置６９と、主集光位置６９を挟むように配置される２つの副集光位置７０とに、処理光ｃを集光して照射する。主集光位置６９および各副集光位置７０は、各副集光位置７０によって主集光位置６９を挟むようにして、トラック６７が延びる方向１００、厳密には主集光位置６９が配置される位置におけるトラックが延びる方向の接線方向（以下「トラック延在方向」という場合がある）１００に対して並び方向角度θ３を成して傾斜する方向（以下「集光位置並び方向」）１０１に並んで配置される。
【００５５】
これら主集光位置６９および各副集光位置７０に照射され、反射した処理光ｃを光検出器３９で検出し、各副集光位置７０で反射した処理光ｃの検出結果に基づいて、これら各副集光位置７０が、同一周回のトラック６７に部分的に重なるようにすれば、主集光位置６９が、その周回のトラック６７に正確に一致する。このようにして記録媒体３７に対する処理光ｃの照射位置の位置決めをしている。
【００５６】
このような位置決めのために、第１処理光ｃ１に関して、３ビームをそれぞれ形成して、第１主集光位置６９および２つの第１副集光位置７０に集光して照射する必要あり、このために、第１回折格子４０が設けられ、第２処理光ｃ２に関して、３ビームをそれぞれ形成して、第２主集光位置６９および２つの第２副集光位置７０に集光して照射する必要あり、このために、第２回折格子４１が設けられる。第１および第２主集光位置は、ともに図３の主集光位置６９に相当するので、同一の符号６９を付し、第１および第２副集光位置は、ともに図３の副集光位置７０に相当するので、同一の符号７０を付し、第１および第２を特定せずに示す場合、主集光位置６９といい、副集光位置７０という場合がある。
【００５７】
第１回折格子４０に形成される第１処理光ｃ１の３ビームは、零次光が第１主集光位置６９に集光し、±２つの一次光が各第１副集光位置７０に集光する。また第２回折格子４１に形成される第２処理光ｃ２の３ビームは、零次光が第２主集光位置６９に集光し、±２つの一次光が各第２副集光位置７０に集光する。
【００５８】
第１回折格子４０は、第１開口溝が、基準平面７３に対して第１格子延在角度θ１を成す第１延在方向７４に延びて形成される。基準平面７３は、記録媒体３７に投影したときに、記録媒体３７のトラック延在方向１００に垂直な方向１０２、厳密には、主集光位置６９が配置される位置におけるトラック延在方向の法線方向（以下「トラック法線方向」という場合がある）１０２に延びる仮想平面である。トラック法線方向１０２は、記録媒体３７の半径方法と略同一である。
【００５９】
第１処理光ｃ１の一次光は、第１延在方向７４に対して垂直な方向へ回折する。したがって第１延在方向７４と基準平面７３とが成す第１格子延在角度θ１が０度であると、第１処理光ｃ１に関して、記録媒体３７における並び方向角度θ３が０度となり、第１主集光位置６９および各第１副集光位置７０は、トラック６７に沿って並ぶ。並び方向角度θ３は、第１格子延在角度θ１に応じて変化し、各第１副集光位置７０が、第１主集光位置６９に対してトラック法線方向１０２へ変位する。
【００６０】
前述のような位置決めをするためには、各第１副集光位置７０が一つの周回のトラック６７に対して、相互に異なる方向から部分的に重なるとき、第１主集光位置６９がその一つの周回のトラック６７に一致するように、第１処理光ｃ１を集光させる必要がある。したがって第１格子延在角度θ１は、第１処理光ｃ１に関して、各第１副集光位置７０が一つの周回のトラック６７に対して、相互に異なる方向から部分的に重なるとき、第１主集光位置６９がその一つの周回のトラック６７に一致するような、集光位置並び角度θ３となるように決定される。
【００６１】
第２回折格子４１は、第２開口溝が、基準平面７３に対して第２格子延在角度θ２を成す第２延在方向７６に延びて形成される。第２処理光ｃ２の一次光は、第２延在方向７６に対して垂直な方向へ回折する。したがって第２延在方向７６と基準平面７３とが成す第２格子延在角度θ２が０度であると、第２処理光ｃ２に関して、記録媒体３７における並び方向角度θ３が０度となり、第２主集光位置６９および各第２副集光位置７０は、トラック６７に沿って並ぶ。並び方向角度θ３は、第２格子延在角度θ２に応じて変化し、各第２副集光位置７０が、第２主集光位置６９に対してトラック法線方向１０２へ変位する。
【００６２】
前述のような位置決めをするためには、各第２副集光位置７０が一つの周回のトラック６７に対して、相互に異なる方向から部分的に重なるとき、第２集光位置６９がその一つの周回のトラック６７に一致するように、第２理光ｃ２集光させる必要がある。したがって第２格子延在角度θ２は、第２処理光ｃ２に関して、各第２副集光位置７０が一つの周回のトラック６７に対して、相互に異なる方向から部分的に重なるとき、第２主集光位置６９がその一つの周回のトラック６７に一致するような、集光位置並び角度θ３となるように決定される。
【００６３】
このように第１回折格子４０の第１格子延在角度θ１によって、出射光学系４２を通る第１処理光ｃ１の経路が変化する。必然的に、記録媒体３７で反射して検出光学系４３を通る第１処理光ｃ１の経路が変化する。また第２回折格子４１の第２格子延在角度θ２によって、出射光学系４２を通る第２処理光ｃ２の経路が変化する。必然的に、記録媒体３７で反射して検出光学系４３を通る第２処理光ｃ２の経路が変化する。本実施の形態では、このようにして、第１および第２格子延在角度θ１，θ２が異なる角度に設定される。
【００６４】
このように第１および第２回折格子４０，４１を個別に設けることによって、記録媒体３７に応じて、第１および第２処理光ｃ１，ｃ２の回折のさせ方を、個別に設定し、これによって第１および第２処理光ｃ１，ｃ２の経路を個別に設定することができる。したがって記録媒体３７における主集光位置６９と各副集光位置７０との位置関係を、第１および第２処理光ｃ１，ｃ２に関して個別に設定することができ、また光検出器３９におけるこれら集光位置６９，７０で反射して受光される受光位置の位置関係を、第１および第２処理光ｃ１，ｃ２に関して個別に設定することができる。
【００６５】
またこのように第１回折格子４０と第２回折格子４１とを、個別に設定することによって、第１および第２処理光ｃ１，ｃ２を、記録媒体３７に好適に集光させることができ、光量損失を少なくすることができる。また、第１回折格子４０と第２回折格子４１とを１つの部材に形成するので、第１および第２回折格子４０，４１を異なる部材に個別に形成する場合に比べて部品点数を少なくすることができるので、光ピックアップ装置３０を小形にできる。
【００６６】
また複合回折格子３２は、光源３１と記録媒体３７との間、具体的には、光源３１とビームスプリッタ３３と間で、処理光ｃの経路に沿う方向１１０へ変位自在に設けられる。この変位によって、処理光ｃが回折される位置を変えることができるので、出射光学系４２および検出光学系４３を通る第１および第２処理光ｃ１，ｃ２の経路を変えることができる。これによって複合回折格子３２の作製公差と、記録媒体３７に集光する副集光位置７０の間隔ずれにつながる公差と、記録媒体３７の副集光位置７０において反射し、光検出器３９に集光する処理光ｃの間隔ずれにつながる公差とを補正することができる。
【００６７】
複合回折格子３２は、第１平面部３２ａに第２回折格子４１が形成され、第２平面部３２ｂに第１回折格子４０が形成される構成であってもよい。この構成でも同様の効果を得ることができる。
【００６８】
図４は、光検出器３９の構成を示す正面図である。光検出器３９は、第１処理光ｃ１を受光する第１検出部４５および第２処理光ｃ２を受光する第２検出部４９を含んで構成される。第１検出部４５は、記録媒体３７の第１主集光位置６９で反射した第１処理光ｃ１、すなわち零次光を受光する第１主検出領域４７と記録媒体３７の第１副集光位置７０で反射した第１処理光ｃ１を受光する２つの第１副検出領域４６，４８とを有する。各第１副検出領域４６，４８は、第１主検出領域４７を挟む位置に配置される。一方の第１副検出領域４６は、前記２つの１次光のうち一方の一次光（以下、「＋１次光」と呼ぶ）を受光するための検出領域であり、他方の第１副検出領域４８は、前記２つの一次光のうち他方の一次光（以下、「−１次光」と呼ぶ）を受光するための検出領域である。第１主検出領域４７は、４分割された４つの受光素子４７ａ〜４７ｄを有し、田の字状、すなわち２行２列の行列状に配置される。一方の第１副検出領域４６は、第１主検出領域４７と第１副検出領域４６，４８とが並ぶ方向に２分割される受光素子４６ａ，４６ｂを有する。他方の第１副検出領域４８は、第１主検出領域４７と第１副検出領域４６，４８とが並ぶ方向に２分割される受光素子４８ａ，４８ｂが配置される。
【００６９】
第２検出部４９は、記録媒体３７の第２主集光位置６９で反射した第２処理光ｃ２、すなわち零次光を受光する第２主検出領域５１と記録媒体３７の第２副集光位置７０で反射した第２処理光ｃ２を受光する２つの第２副検出領域５０，５２を有する。各第２副検出領域５０，５２は、第２主検出領域５１を挟む位置に配置される。一方の第２副検出領域５０は、前記２つの１次光のうち一方の一次光（以下、「＋１次光」と呼ぶ）を受光するための検出領域であり、他方の第１副検出領域５２は、前記２つの１次光のうち他方の一次光（以下「−１次光」と呼ぶ）を受光するための検出領域である。第１主検出領域５１は、４分割された４つの受光素子５１ａ〜５１ｄを有し、田の字状、すなわち２行２列の行列状に配置される。一方の第１副検出領域５０は、第２主検出領域５１と第２副検出領域５０，５２とが並ぶ方向に２分割される受光素子５０ａ，５０ｂを有する。他方の第２副検出領域５２は、第１主検出領域５１と第２副検出領域５０，５２とが並ぶ方向に２分割された５２ａ，５２ｂが配置される。
【００７０】
第１処理光ｃ１を用いて情報の記録および再生をする場合、第１処理光ｃ１は、複合回折格子３２で一部が回折され、零次回折、換言すれば回折されない零次光が第１主集光位置６９に照射され、一次回折される２つの一次光が各第１副集光位置７０に照射される。各第１副集光位置７０で反射した第１処理光ｃ１は、光検出器３９の第１検出部４５における各第１副検出領域４６，４８に導かれる。各第１副検出領域４６，４８でそれぞれ検出される第１処理光ｃ１の一方の一次光（以下「＋１次光」という場合がある）と、他方の一次光（以下「−１次光」という場合がある）との光量が、常に等しくなるように、対物レンズ３６の位置を制御すれば、第１処理光ｃ１の零次光は、トラック６７をトレースして、トラック６７に沿って照射される。このようにして第１処理光ｃ１の照射位置の位置決めが成される。具体的には、各受光素子４６ａ，４６ｂ；４７ａ〜４７ｄ；４８ａ，４８ｂの受光光量に基づく出力値を、それぞれの符号を用いて表した場合に、次式（１）で表される差動プッシュプルΔＣを求めることによって、トラックサーボをかけて、前述のような位置決めをしている。
2004127423.tif 000003
ここでαは、零次光（主ビーム）と±一次光（副ビーム）の光量差に基づいて決定される係数である。
【００７１】
また対物レンズ３６と記録媒体３７との距離を一定に保つために、本実施の形態では非点収差法が用いられる。対物レンズ３６と記録媒体３７との距離を一定に保つためには、記録媒体３７によって反射した第１処理光ｃ１が、平板状ビームスプリッタ３３を通過する際に発生する非点収差を利用し、４分割される第１主検出領域４７の各受光素子４７ａ〜４７ｄによって検出される光量が等しくなるように、対物レンズを制御する。このようにして対物レンズ３６と記録媒体３７との距離を一定に保つことができる。
【００７２】
このように位置決めされた状態で、記録のために第１処理光ｃ１を記録媒体３７の第１主集光位置６９に集光して照射することによって、記録媒体３７に情報を記録することができる。また再生のために第１処理光ｃ１を記録媒体３７の第１主集光位置６９に集光して照射し、反射した第１処理光ｃ１を光検出器３９の第１主検出領域４７において検出することによって、記録媒体３７に記録される情報を再生することができる。
【００７３】
第２処理光ｃ２を用いて情報の記録および再生をする場合、第２処理光ｃ２は、複合回折格子３２で一部が回折され、零次回折、換言すれば回折されない零次光が第１主集光位置６９に照射され、一次回折される２つの一次光が各第１副集光位置７０に照射される。各第１副集光位置７０で反射した第２処理光ｃ２は、光検出器３９の第２検出部４９における各第１副検出領域５０，５２に導かれる。各第２副検出領域５０，５２でそれぞれ検出される第２処理光ｃ２の一方の一次光（以下「＋１次光」という場合がある）と、他方の一次光（以下「−１次光」という場合がある）との光量が、常に等しくなるように、対物レンズ３６の位置を制御すれば、第２処理光ｃ２の零次光は、トラック６７をトレースして、トラック６７に沿って照射される。このようにして第２処理光ｃ２の照射位置の位置決めが成される。具体的には、第２処理光ｃ２についても、第１処理光ｃ１と同様にして前述のような位置決めをしている。
【００７４】
また対物レンズ３６と記録媒体３７との距離を一定に保つために、本実施の形態では非点収差法が用いられる。対物レンズ３６と記録媒体３７との距離を一定に保つためには、記録媒体３７によって反射した第２処理光ｃ２が、平板状ビームスプリッタ３３を通過する際に発生する非点収差を利用し、４分割される第２主検出領域５１の各受光素子５１ａ〜５１ｄによって検出される光量が等しくなるように、対物レンズを制御する。このようにして対物レンズ３６と記録媒体３７との距離を一定に保つことができる。
【００７５】
このように位置決めされた状態で、記録のために第２処理光ｃ２を記録媒体３７の第２主集光位置６９に集光して照射することによって、記録媒体３７に情報を記録することができる。また再生のために第２処理光ｃ２を記録媒体３７の第２主集光位置６９に集光して照射し、反射した第２処理光ｃ２を光検出器３９の第２主検出領域５１において検出することによって、記録媒体３７に記録される情報を再生することができる。
【００７６】
このように第１および第２処理光ｃ１，ｃ２に対して、個別に検出部４５，４９を設けることによって、第１および第２処理光ｃ１，ｃ２のいずれを用いる場合にも、高精度に処理光を検出し、前述のような位置決めを高精度に実現でき、高精度な情報の記録および再生を実現することができる。
【００７７】
第１主検出領域４７と第１副検出領域４５，４８との第１間隔４Ａと、第２主検出領域５１と第２副検出領域５０，５２との第２間隔４Ｂは、等しくてもよいし、異なってもよい。本実施の形態では、第１および第２間隔４Ａ，４Ｂは、異なる。
【００７８】
第１および第２回折格子４０，４１による第１および第２処理光ｃ１，ｃ２の回折角度が変ると、第１および第２回折格子４０，４１を通過後の第１および第２処理光ｃ１，ｃ２の経路が変化し、記録媒体３７における集光位置間隔が変化し、必然的に、第１および第２間隔４Ａ，４Ｂが変化する。このように第１および第２間隔４Ａ，４Ｂは、第１および第２回折格子４０，４１による処理光ｃの回折角度によって調整することができる。回折角度は、第１および第２処理光ｃ１，ｃ２の入射光に対して回折する角度であって、この回折角度は、第１および第２回折格子４０，４１の開口溝の形成間隔などによって調整することができる。したがって第１および第２回折格子４０，４１による第１および第２回折角度を調整して、第１および第２間隔４Ａ，４Ｂが同一になるようにするようにしてもよい。
【００７９】
また光検出器３９は、記録媒体３７と光検出器３９との間の処理光ｃの経路に沿う方向１１１へ変位自在に設けられる。光源３１は、第１出射部６５の出射位置と第２出射部６６と出射位置との間隔に、公差を有している。公差は、光検出器３９における第１処理光ｃ１の受光位置と第２処理光ｃ２の受光位置との間隔に影響を与える。第１および第２処理光ｃ１，ｃ２は、光検出器３９の付近において、各光軸間の距離が光軸に沿う方向に変化しているので、光検出器３９を変位させることによって、光検出器３９における第１処理光ｃ１の受光位置と第２処理光ｃ２の受光位置との間隔を変化させ、第１検出部４５と第２検出部４９との配置位置間隔４Ｃに合わせることができ、前記公差を補正することができる。したがって高精度な情報の記録および再生をすることができる。
【００８０】
以上説明したような光ピックアップ装置３０では、光源３１から、第１波長λ１の第１処理光ｃ１および第２波長λ２の第２処理光ｃ２のいずれかを出射することができる。記録媒体３７に応じて、光源３１から第１および第２処理光ｃ１，ｃ２のいずれかを出射し、出射光学系４２によって記録媒体３７に導くことによって、記録媒体３７に対して情報の記録および記録される情報の再生うち少なくといずれか一方をすることができる。
【００８１】
このように記録媒体３７に対して、情報の記録および再生のいずれかをする場合、記録媒体３７に対して、第１および第２処理光ｃ１，ｃ２を所定の位置に照射しなければ成らない。このように位置決めをするために、光源３１と記録媒体３７との間に、第１回折格子４０および第２回折格子４１が設けられ、第１処理光ｃ１は、第１回折格子４０によって一部が回折されて、記録媒体３７において、第１主集光位置６９および第１副集光位置７０に集光され、第２処理光ｃ２は、第２回折格子４１によって一部が回折されて、記録媒体３７において、第２主集光位置６９および第２副集光位置７０に集光される。
【００８２】
このようにして、第１副集光位置で反射する第１処理光ｃ１を検出光学系４３によって光検出器３９に導き、この光検出器３９で検出された第１処理光ｃ１に基づいて、第１主集光位置７０が前記所定の位置と一致するように位置決めするとともに、第２副集光位置７０で反射する第２処理光ｃ２を検出光学系４３によって光検出器３９に導き、この光検出器３９で検出された第２処理光ｃ２に基づいて、第２主集光位置７０が前記所定の位置と一致するように位置決めする。この位置決めによって、記録媒体３７に対して、情報の記録および再生を好適に実現することができる。しかも第１処理光ｃ１用の第１回折格子４０と、第２処理光ｃ２用の第２回折格子４１とを設けることによって、第１および第２処理光ｃ１，ｃ２のいずれを用いる場合にも、前述のような位置決めを高精度に実現でき、高精度な情報の記録および再生を実現することができる。
【００８３】
光源３１と記録媒体３７との間に複合回折格子３２が設けられ、この複合回折格子３２には、第１表面部３２ａに第１回折格子４０が形成され、第２表面部３２ｂに第２回折格子４１が形成される。このように第１および第２回折格子４０，４１を１つの部材に形成できるので、第１および第２回折格子４０，４１を異なる部材に個別に形成する場合に比べて部品点数を少なくすることができるので、光ピックアップ装置３０を小形にできる。
【００８４】
第１および第２回折格子４０，４１は、開口の延びる方向が異なり、第１回折格子４０によって第１処理光ｃ１が回折される方向と、第２回折格子４１によって第２処理光ｃ２が回折される方向とが異なる。これによって第１処理光ｃ１が記録媒体３７において集光する第１主集光位置６９および第１副集光位置７０の位置関係と、第２主集光位置６９および第２副集光位置７０の位置関係とが異なる。第１処理光ｃ１を用いる記録媒体３７と、第２処理光ｃ２を用いる記録媒体３７とでは、これら各記録媒体３７に適した主集光位置６９と副集光位置７０との位置関係が異なり、前述のように第１および第２処理光ｃ１，ｃ２の回折方向を相互に異ならせて、各記録媒体３７に適した集光位置に、第１および第２処理光ｃ１，ｃ２を集光させることができる。したがって第１および第２処理光ｃ１，ｃ２を用いる各記録媒体３７において、高精度に情報の記録および再生をすることができる。
【００８５】
第１回折格子４０および第２回折格子４１の回折角度を変えることよって、出射光学系４２および検出光学系４３を通る処理光ｃの経路が変わる。処理光ｃの経路が変わることによって、記録媒体３７の主集光位置６９で反射した処理光ｃと副集光位置７０で反射した処理光ｃとの検出器３９における受光位置の間隔が変わる。第１主集光位置６９および第１副集光位置７０の反射位置で反射した各第１処理光ｃ１の光検出器３９における受光位置間の間隔と第２主集光位置６９および第２副集光位置７０の反射位置で反射した各第２処理光ｃ２の光検出器３９における受光位置間の間隔とが同一になるように、第１回折格子４０による第１処理光ｃ１の回折角度および第２回折格子４１による第２処理光ｃ２の回折角度を決定する。これによって、第１副集光位置７０で反射した第１処理光ｃ１を受光する光検出器３９における検出領域と、第２副集光位置７０で反射した第２処理光ｃ２を受光する光検出器３９における検出領域とを、整列させることができる。このように整列できれば検出領域の共通化を容易にし、検出領域の共通化を図ることによって、光検出器３９の形状を始めとする構成を簡単にすることができる。
【００８６】
第１回折格子４０および第２回折格子４１を変位させることによって、第１および第２回折格子４０，４１によって回折された第１および第２処理光ｃ１，ｃ２の経路を変えることができる。これによって記録媒体３７における第１および第２副集光位置７０を変えることができる。またこれに伴って記録媒体３７の第１副集光位置７０で反射した第１処理光ｃ１が光検出器３９で受光する位置を変えることができるとともに、第２副集光位置７０で反射した第２処理光ｃ２が光検出器３９で受光する位置を変えることができる。したがって第１および第２回折格子４０，４１の作製公差を補正するとともに処理光ｃが記録媒体３７に集光する副集光位置７０の間隔ずれにつながる公差と処理光ｃが記録媒体３７の副集光位置７０で反射され、光検出器３９に導かれたときの受光位置の間隔ずれにつながる公差を補正することができる。
【００８７】
光検出器３９は、第１検出部４５を第１処理光ｃ１の受光位置に設けることによって、第１処理光ｃ１を検出し、第２検出部４９を第２処理光ｃ２の受光位置に設けることによって、第２処理光ｃ２を検出する。このようにして光検出器３９は、第１処理光ｃ１を受光する第１検出部４５と第２処理光ｃ２を受光する第２検出部４９とを個別に設けることによって、記録媒体３７で反射した第１処理光ｃ１および第２処理光ｃ２を高精度の検出することができる。
【００８８】
第１検出部４５は、記録媒体３７の第１主集光位置６９で反射した第１処理光ｃ１を検出する第１主検出領域４７と第１副集光位置７０で反射した第１処理光ｃ２を検出する第１副検出領域４６，４８とを有している。第２検出部４９は、記録媒体３７の第２主集光位置６９で反射した第２処理光ｃ２を検出する第２主検出領域５１と第２副集光位置７０で反射した第２処理光ｃ２を検出する第２副検出領域５０，５２とを有している。第１副集光位置４６と第２副集光位置４０とは、共通の領域であり、第１副検出領域４８と第２副検出領域５２とは、共通の領域である。これによって独立した検出領域の数が減り、配線を簡略化できるので、コストを削減することができる。
【００８９】
光検出器３９は、記録媒体３７と光検出器３９との間の処理光ｃの経路に沿う方向に変位することによって、光検出器３９に導かれる第１処理光ｃ１の受光位置と第２処理光ｃ２の受光位置との間隔を変えることができる。したがって光源３１から出射される第１出射部６５と第２出射部６６との出射位置の違いによって生じる光検出器３９における受光位置のずれを修正できるので、光検出器３９を変位させることによって、光検出器３９における第１処理光ｃ１の受光位置と第２処理光ｃ２の受光位置との間隔を変化させ、第１検出部と第２検出部との配置位置間隔に合わせることができ、前記公差を補正することができる。したがって高精度な情報の記録および再生をすることができる。
【００９０】
図５は、本発明の実施の他の形態の複合回折格子３２Ａを示す正面図である。本実施の形態の複合回折格子３２Ａは、図２示す前述の複合回折格子３２と類似しており、異なる構成についてだけ説明し、同様の構成は、同一の符号を付して説明を省略する。本実施の形態の複合回折格子は、１／４波長板４４の厚み方向一方側の第１表面部３２ａに第１回折格子４０が形成され、厚み方向他方側の第２表面部３２ｂに第２回折格子４１が形成される。
【００９１】
光ピックアップ装置３０では、記録媒体３７の複屈折の影響を低減するために処理光ｃを円偏光にする必要がある。１／４波長板４４は、処理光ｃを円偏光にするために用いられる。本実施の形態では、１／４波長板４４は、水晶などの複屈折材料によって構成される。このような構成にすることによって、１／４波長板４４は、別の部材によって形成する必要がないので、部品点数の削減およびコストの削減ができる。またその他、図２の複合回折格子３２と同様の効果を得ることができる。
【００９２】
図６は、本発明の実施の他の形態の複合回折格子３２Ｂを示す正面図である。本実施の形態の複合回折格子３２Ｂは、図２示す前述の複合回折格子３２と類似しており、異なる構成についてだけ説明し、同様の構成は、同一の符号を付して説明を省略する。本実施の形態の複合回折格子３２Ｂは、積層構成体１２１の厚み方向一方側の第１表面部３２ａに第１回折格子４０が形成され、厚み方向他方側の第２表面部３２ｂに第２回折格子４１が形成される。
【００９３】
積層構成体１２１は、１／４波長板４４Ｂと透光性を有する材料から成る第１および第２板部材５３，５４とを備える。１／４波長板４４Ｂの厚み方向一方側に第１板部材５３が設けられ、１／４波長板４４Ｂの厚み方向他方側に第２板部材５４が設けられる。第１板部材５３によって第１表面部３２ａが構成され、第２板部材５４によって第２表面部３２ａが構成される。１／４波長板４４Ｂは、図５に示す１／４波長板４４と同様に構成される。このような積層構成体１２１を用いる複合回折格子３２Ｂもまた、図５に示す１／４波長板４４を用いる複合回折格子３２Ａと同様の効果を得ることができる。
【００９４】
複合回折格子３２には、１／４波長板４４が設けられ、複屈折の影響を低減することができる。このように複屈折の影響を低減するための１／４波長板４４は、別に取付ける必要がない。したがって部品点数を削減できるのでコストを削減ができるとともに光ピックアップ装置３０を小形にできる。
【００９５】
複合回折格子３２には、１／４波長板４４が設けられ、複屈折の影響を低減することができる。このように複屈折の影響を低減するための１／４波長板４４は、別に取付ける必要がない。したがって部品点数を削減できるのでコストを削減ができるとともに光ピックアップ装置３０を小形にできる。
【００９６】
図７は、本発明の実施の他の形態の光検出器３９Ｃを示す正面図である。本実施の形態の光検出器３９Ｃは、図４に示す光検出器３９と類似しており、異なる構成についてだけ説明し、同様の構成は、同一の符号を付して説明を省略する。光検出器３９Ｃは、第１処理光ｃ１を受光する第１検出部４５Ｃおよび第２処理光ｃ２を受光する第２検出部４９Ｃを含んで構成される。第１検出部４５Ｃは、記録媒体３７の第１主集光位置６９で反射した第１処理光ｃ１すなわち零次光を受光する第１主検出領域４７と第１副集光位置７０で反射した第１処理光ｃ１を受光する２つの第１副検出領域４６，４８とを有する。
【００９７】
第２検出部４９Ｃは、記録媒体３７の第２主集光位置６９で反射した第２処理光ｃ２、すなわち零次光を受光する第２主検出領域５１と記録媒体３７の第２副集光位置７０で反射した第２処理光ｃ２を受光する２つの第２副検出領域５０，５２を有する。第１副検出領域４６と第２副検出領域５０とは一体に形成され、第１副検出領域４８と第２副検出領域５０とは一体に形成される。このような構成にすることによって、独立した検出領域の数が減り、配線を簡略化できるので、コストを削減できる。また第１間隔４Ａと第２間隔４Ｂとが同一になるように設定すると、さらに構成を簡単にできる。またその他、図４の光検出器３９と同様の効果を達成することができる。
【００９８】
図８は、本実施の他の形態の光ピックアップ装置３０Ｄの光学的構成を概略的に示す正面図である。本実施の形態の光ピックアップ装置３０Ｄは、図１示す前述の光ピックアップ装置３０と類似しており、異なる構成についてだけ説明し、同様の構成は、同一の符号を付して説明を省略する。本実施の形態の光ピックアップ装置３０Ｄは、図１示す前述の光ピックアップ装置３０で設けられるビームスプリッタ３３に代えて、検出回折格子６４が形成されるビームスプリッタ３３Ｄが設けられる。
【００９９】
検出回折格子６４は、ビームスプリッタ３３ｃの光検出器３９側、換言すれば記録媒体３７で反射した第１および第２処理光ｃ１，ｃ２が光検出器３９に向かう経路の下流側となる厚み方向一方の表面部に形成される。検出回折格子６４は、記録媒体３７によって反射された第１および第２処理光ｃ１，ｃ２のいずれか一方を、透過後の経路が相互に近づく方向に回折させる。
【０１００】
これによって光検出器３９において、第１処理光ｃ１と第２処理光ｃ２とが、略同一の受光位置で受光することができるように、第１および第２処理光ｃ１，ｃ２を光検出器３９に導くことができる。このような構成にすれば、第１および第２処理光ｃ１，ｃ２を共通の検出部で受光して検出することができる。受光部は、たとえば図４に示す第１検出部４５と同様に構成される。
【０１０１】
このように第１および第２処理光ｃ１，ｃ２用の検出部を共通にすることでき、部品点数を削減することができる。またこの構成において、第１処理光ｃ１の受光位置間隔と第２処理光の受光位置の間隔とが同一になるように、第１および第２回折格子の回折角度を調整することによって、さらに高い精度で情報を記録および再生することができる。
【０１０２】
以上説明したような光ピックアップ装置６１では、検出光学系４３Ｄは、検出回折格子６４を有する。検出回折格子６４は、記録媒体３７で反射した第１および第２処理光のいずれか一方を回折させ、処理光ｃの経路を変えることによって、第１および第２処理光ｃ１，ｃ２を光検出器３９の略同一の位置に導く。これによって第１および第２処理光ｃ１，ｃ２の光検出器３９における検出領域を共通にすることができる。したがって、光検出器３９の部品点数を削減できるので、光検出器３９を小形にできるとともにコストの削減を図ることができる。
【０１０３】
複合回折格子３２に形成される第１回折格子４０および第２回折格子４１は、上記に限定されるものでなく第１平面部３２ａに第２回折格子４１を形成し、第２平面部３２ｂに第１回折格子４０を形成してもよい。
【０１０４】
【発明の効果】
本発明によれば、光源から、第１波長の第１処理光および第２波長の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【０１０５】
このように記録媒体に対して、情報の記録および再生のいずれかをする場合、記録媒体に対して、第１および第２処理光を所定の位置に照射しなければ成らない。このように位置決めをするために、光源と記録媒体との間に、第１および第２回折格子が設けられ、第１処理光は、第１回折格子によって一部が回折されて、記録媒体上において、第１主集光位置および第１副集光位置に集光され、第２処理光は、第２回折格子によって一部が回折されて、記録媒体上において、第２主集光位置および第２副集光位置に集光される。
【０１０６】
このようにして、第１副集光位置で反射する第１処理光を検出光学系によって光検出器に導き、この光検出器で検出された第１処理光に基づいて、第１主集光位置が前記所定の位置と一致するように位置決めするとともに、第２副集光位置で反射する第２処理光を検出光学系によって光検出器に導き、この光検出器で検出された第２処理光に基づいて、第２主集光位置が前記所定の位置と一致するように位置決めする。この位置決めによって、記録媒体に対して、情報の記録および再生を好適に実現することができる。しかも第１処理光用の第１回折格子と、第２処理光用の第２回折格子とを設けることによって、第１および第２処理光のいずれを用いる場合にも、前述のような位置決めを高精度に実現でき、高精度な情報の記録および再生を実現することができる。
【０１０７】
また本発明によれば、光源と記録媒体との間に複合回折格子が設けられ、この複合回折格子には、第１表面部に第１回折格子が形成され、第２表面部に第２回折格子が形成される。このように第１および第２回折格子を１つの部材に形成できるので、第１および第２回折格子を異なる部材に個別に形成する場合に比べて部品点数を少なくすることができるので、光ピックアップ装置を小形にできる。
【０１０８】
また本発明によれば、複合回折格子には、１／４波長板が設けられ、複屈折の影響を低減することができる。このように複屈折の影響を低減するための１／４波長板は、別に取付ける必要がない。したがって部品点数を削減できるので、コストを削減できるとともに光ピックアップ装置を小形にできる。
【０１０９】
また本発明によれば、第１および第２回折格子は、開口の延びる方向が異なり、第１回折格子によって第１処理光が回折される方向と、第２回折格子によって第２処理光が回折される方向とが異なる。これによって第１処理光が記録媒体において集光する第１主集光位置および第１副集光位置の位置関係と、第２主集光位置および第２副集光位置の位置関係とが異なる。第１処理光を用いる記録媒体と、第２処理光を用いる記録媒体とでは、これら各記録媒体に適した主集光位置と副集光位置との位置関係が異なり、前述のように第１および第２処理光の回折方向を相互に異ならせて、各記録媒体に適した集光位置に、第１および第２処理光を集光させることができる。したがって第１および第２処理光を用いる各記録媒体において、高精度に情報の記録および再生をすることができる。
【０１１０】
また本発明によれば、第１および第２回折格子の回折角度を変えることよって、出射光学系および検出光学系を通る第１および第２処理光の経路が変わる。第１および第２処理光の経路が変わることによって、記録媒体上の主集光位置光で反射した処理光と副集光位置で反射した処理光との検出器における受光位置の間隔が変わる。第１主集光位置および第１副集光位置の反射位置で反射した各第１処理光の光検出器における受光位置間の間隔と第２主集光位置および第２副集光位置の反射位置で反射した各第２処理光の光検出器における受光位置間の間隔とが同一になるように、第１回折格子による第１処理光の回折角度および第２回折格子による第２処理光の回折角度を決定する。これによって、第１副集光位置で反射した第１処理光を受光する光検出器における検出領域と、第２副集光位置で反射した第２処理光を受光する光検出器における検出領域とを、整列させることができる。このように整列できれば、検出領域の共通化を容易にし、検出領域の共通化を図ることによって、光検出器の形状を始めとする構成を簡単にすることができる。
【０１１１】
また本発明によれば、第１および第２回折格子を、変位させることによって、第１および第２回折格子によって回折された第１および第２処理光の経路を変えることができる。これによって記録媒体における第１および第２副集光位置を、変えることができる。またこれに伴って記録媒体の第１副集光位置で反射した第１処理光が光検出器で受光する位置を変えることができるとともに、第２副集光位置で反射した第２処理光が光検出器で受光する位置を変えることができる。したがって第１および第２回折格子の作製公差を補正するとともに処理光が記録媒体上に集光する副集光位置の間隔ずれにつながる公差と処理光が記録媒体上の副集光位置で反射され、光検出器に導かれたときの受光位置の間隔ずれにつながる公差を補正することができる。
【０１１２】
また本発明によれば、光検出器は、第１検出部を第１処理光の受光位置に設けることによって、第１処理光を検出し、第２検出部を第２処理光の受光位置に設けることによって、第２処理光を検出する。このようにして光検出器は、第１処理光を受光する第１検出部と第２処理光を受光する第２検出部とを個別に設けることによって、記録媒体で反射した第１処理光および第２処理光を高精度に検出することができる。
【０１１３】
また本発明によれば、第１検出部は、記録媒体上の第１主集光位置で反射した第１処理光を検出する第１主検出領域と第１副集光位置で反射した第１処理光を検出する第１副検出領域とを有している。第２検出部は、記録媒体上の第２主集光位置で反射した第２処理光を検出する第２主検出領域と第２副集光位置で反射した第２処理光を検出する第２副検出領域とを有している。第１副集光位置と第２副集光位置とは、共通の領域である。これによって独立した検出領域の数が減り、配線を簡略化できるので、コストを削減することができる。
【０１１４】
また本発明によれば、検出光学系は、検出回折格子を有する。検出回折格子は、記録媒体で反射した第１および第２処理光のいずれか一方を回折させ、回折させた処理光の経路を変えることによって、第１および第２処理光を光検出器の略同一の位置に導く。これによって第１および第２処理光の光検出器における検出領域を共通にすることができる。したがって、光検出器の部品点数を削減できるので、光検出器を小形にできるとともにコストの削減を図ることができる。
【０１１５】
また本発明によれば、光源から、第１波長λ１の第１処理光および第２波長λ２の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【０１１６】
記録媒体で反射した第１処理光は、光検出器の第１検出部に導かれる。記録媒体で反射した第２処理光は、光検出器の第２検出部に導かれる。光検出器は、第１検出部を第１処理光の受光位置に設けることによって、第１処理光を検出し、第２検出部を第２処理光の受光位置に設けることによって、第２処理光を検出する。このようにして光検出器は、第１処理光を受光する第１検出部と第２処理光を受光する第２検出部とを個別に設けることによって、記録媒体で反射した第１処理光および第２処理光を高精度に検出することができる。
【０１１７】
また本発明によれば、記録媒体に対して、情報の記録および再生のいずれかをする場合、記録媒体に対して、第１および第２処理光を所定の位置に照射しなければ成らない。このように位置決めをするために、光源と記録媒体との間に、第１および第２回折格子が設けられ、第１処理光は、第１回折格子によって一部が回折されて、記録媒体上において、第１主集光位置および第１副集光位置に集光され、第２処理光は、第２回折格子によって一部が回折されて、記録媒体上において、第２主集光位置および第２副集光位置に集光される。
【０１１８】
記録媒体上の第１主集光位置および第１副集光位置で反射された第１処理光を検出光学系によって第１検出部に導く。記録媒体上の第１主集光位置で反射した第１処理光は、第１主検出領域において検出され、第１副集光位置で反射した第１処理光は、第１副検出領域において検出される。この光検出器で検出された第１処理光に基づいて、第１主集光位置が前記所定の位置と一致するように位置決めするとともに、記録媒体上の第２主集光位置および第２副集光位置で反射された第２処理光を検出光学系によって第２光検出部に導く。記録媒体上の第２主集光位置で反射した第２処理光は、第２主検出領域において検出され、第２副集光位置で反射した第２処理光は、第２副検出領域において検出される。この光検出器で検出された第２処理光に基づいて、第２主集光位置が前記所定の位置と一致するように位置決めする。この位置決めによって、記録媒体に対して、情報の記録および再生を好適に実現することができる。しかも第１処理光用の第１回折格子と、第２処理光用の第２回折格子とを設けることによって、第１および第２処理光のいずれを用いる場合にも、前述のような位置決めを高精度に実現でき、高精度な情報の記録および再生を実現することができる。また、検出部において第１副検出領域と第２副検出領域とを共通の領域にすることによって独立した検出領域の数が減り、配線を簡略化できるので、コストを削減できる。
【０１１９】
また本発明によれば、光源から、第１波長の第１処理光および第２波長の第２処理光のいずれかを出射することができる。記録媒体に応じて、光源から第１および第２処理光のいずれかを出射し、出射光学系によって記録媒体に導くことによって、記録媒体に対して情報の記録および記録される情報の再生うち少なくといずれか一方をすることができる。
【０１２０】
このように光源から出射される第１および第２処理光は、出射光学系によって記録媒体に導かれる。記録媒体によって反射した第１および第２処理光は、検出光学系によって光検出器に導かれる。検出光学系は、検出回折格子を有する。検出回折格子は、記録媒体で反射した第１および第２処理光のいずれか一方を回折させ、回折させた処理光の経路を変えることによって、第１および第２処理光を光検出器の略同一の位置に導く。これによって第１および第２処理光の光検出器における検出領域を共通にすることができる。したがって、光検出器の部品点数を削減できるので、光検出器を小形にできるとともにコストの削減を図ることができる。
【０１２１】
また本発明によれば、光検出器は、記録媒体と光検出器との間の光の経路に沿う方向に変位することによって、光検出器に導かれる第１処理光と第２処理光との受光位置の間隔を変えることができる。したがって光源から出射される第１出射部と第２出射部との出射位置の違いによって生じる光検出器における受光位置のずれを修正できるので、光検出器を変位させることによって、光検出器における第１処理光の受光位置と第２処理光の受光位置との間隔を変化させ、第１検出部と第２検出部との配置位置間隔に合わせることができ、前記公差を補正することができる。したがって高精度な情報の記録および再生をすることができる。
【図面の簡単な説明】
【図１】本発明の実施の一形態の光ピックアップ装置３０の光学的構成を概略的に示す正面図である。
【図２】複合回折格子３２を示す図である。
【図３】記録媒体３７の一部分を拡大して示す平面図である。
【図４】光検出器３９の構成を示す正面図である。
【図５】本発明の実施の他の形態の複合回折格子３２Ａを示す正面図である。
【図６】本発明の実施の他の形態の複合回折格子３２Ｂを示す正面図である。
【図７】本発明の実施の他の形態の光検出器３９Ｃを示す正面図である。
【図８】本発明の実施の他の形態の光ピックアップ装置３０Ｄの構成を示す概略図である。
【図９】従来の実施の形態の光ピックアップ装置１の光学的構成を示す概略図である。
【図１０】従来の実施の他の形態の光ピックアップ装置２０の光学的構成を示す概略図である。
【符号の説明】
３１　光源
３２　複合回折格子
３３　ビームスプリッタ
３４　コリメートレンズ
３５　立上げミラー
３６　対物レンズ
３７　記録媒体
３８　スポットレンズ
３９　光検出器
４４，４４Ｂ　１／４波長板
６４　格出回析格子
【図１】
2004127423.tif 000004
【図２】
2004127423.tif 000005
【図３】
2004127423.tif 000006
【図４】
2004127423.tif 000007
【図５】
2004127423.tif 000008
【図６】
2004127423.tif 000009
【図７】
2004127423.tif 000010
【図８】
2004127423.tif 000011
【図９】
2004127423.tif 000012
【図１０】
2004127423.tif 000013